(57)【要約】【課題】従来とは異なる構成で、工具を用いることなく容易にブラシの高さを微調整することができるブラシ高さ調整装置の提供。【解決手段】ブラシ高さ調整装置１は、ブラシカバー８と、ブラシカバー８に着脱可能に設けられる保持部材１４と、保持部材１４に上下動可能に設けられる支持体１６とを備える。保持部材１４には、複数の孔３５が形成される。支持体１６には、複数の調整穴５３が形成される。複数の調整穴５３は、傾斜して配列される。互いに隣接する調整穴５３，５３同士は、上側の調整穴５３の上下幅Ｘを有する帯状の領域５６内に、下側の調整穴５３の一部が重なるように配置される。保持部材１４の孔３５と支持体１６の調整穴５３とが対応した状態で、それらの孔３５および調整穴５３にピン５８を差し込み、そのピン５８にスナップピン６２を差し込むことで、保持部材１４に支持体１６が固定される。【選択図】図５
2015151832.tif 000002
【特許請求の範囲】
【請求項１】
被清掃体を回転するブラシで掻き上げて清掃する芝生清掃車に設けられるブラシ高さ調整装置であって、
前記ブラシが設けられるブラシフレームと、このブラシフレームに互いに上下動可能に設けられる支持体とを備え、
前記ブラシフレームまたは前記支持体のどちらか一方には孔が形成され、
前記ブラシフレームまたは前記支持体の他方には複数の調整穴が形成されており、ある一つの調整穴と、この調整穴と高さの異なる他の調整穴とは、前記ある一つの調整穴の上端部を通る水平方向へ沿う直線とその調整穴の下端部を通る水平方向へ沿う直線とにより形成される帯状の領域に、前記他の調整穴の一部が重なるよう形成されており、
前記孔と前記調整穴とを対応させた状態で、前記孔および前記調整穴にピンを差し込むことで、前記ブラシフレームに前記支持体が固定される
ことを特徴とする芝生清掃車のブラシ高さ調整装置。
【請求項２】
前記複数の調整穴は、傾斜して配列されると共に、互いに隣接する調整穴同士が、一方の調整穴の前記領域に他方の調整穴の一部が重なるよう形成されており、
互いに隣接する調整穴同士の高低差が同一とされる
ことを特徴とする請求項１に記載の芝生清掃車のブラシ高さ調整装置。
【請求項３】
前記孔は、複数形成されており、
これらの孔の水平方向の間隔それぞれと、傾斜して配列された前記調整穴の水平方向の間隔それぞれとが同一とされる
ことを特徴とする請求項２に記載の芝生清掃車のブラシ高さ調整装置。
【請求項４】
前記ブラシフレームは、前記ブラシを覆うブラシカバーと、このブラシカバーに着脱可能に設けられる保持部材とからなり、
この保持部材または前記支持体のどちらか一方に前記孔が形成され、前記保持部材または前記支持体の他方に前記調整穴が形成され、
前記保持部材に前記支持体が互いに上下動可能に設けられる
ことを特徴とする請求項１〜３のいずれか１項に記載の芝生清掃車のブラシ高さ調整装置。
【発明の詳細な説明】
【技術分野】
【０００１】
本発明は、ゴルフ場などの芝生面を清掃する清掃車のブラシの高さを調整する装置に関するものである。
【背景技術】
【０００２】
ゴルフ場において、清掃車は、フェアウェイからラフへ、またはラフからフェアウェイへ移動する場合に、ブラシの高さを調整する必要がある。これは、芝とブラシが近すぎると芝を傷つけ、離れすぎるとブラシで掻き上げ難くなるためである。
【０００３】
従来、ブラシの高さを調整する構造として、下記特許文献１の図６に開示されるように、風導（４）に上下動可能に設けられたスライドアーム（７ａ）にガイド車輪（６）が取り付けられ、長孔（７ｂ）に挿入された固定ボルト（１２）を緩めた状態で、ストッパーボルト（１３）を螺動させ、ガイド車輪（６）が取り付けられたスライドアーム（７ａ）を上下動させる構造が知られている。
【０００４】
また、下記特許文献１の図２〜図５には、ガイド車輪（６）が取り付けられたアーム（１４）とストッパーボルト（１３）との間に、ピン（１７）に回転可能に設けられた複数の調整板（１６）が抜き差し可能に設けられた構造が開示されている。このような構造では、アーム（１４）とストッパーボルト（１３）との間の調整板（１６）の枚数によって、ガイド車輪（６）の上下方向における位置が調整され、ひいては回転ブラシ（５）の高さが調整される。
【先行技術文献】
【特許文献】
【０００５】
【特許文献１】特許第４３３２５４０号公報
【発明の概要】
【発明が解決しようとする課題】
【０００６】
しかしながら、特許文献１の図６に開示された構造では、回転ブラシ（５）を上下動させる際、固定ボルト（１２）を緩めると共にストッパーボルト（１３）を螺動させることになる。そのため、工具が必要であり、調整作業が面倒であった。また、より簡易な構造で調整操作に優れた装置が望まれている。
【０００７】
本発明が解決しようとする課題は、工具を用いることなく容易にブラシの高さを微調整することができ、かつ従来とは異なる構成の芝生清掃車のブラシ高さ調整装置を提供することにある。
【課題を解決するための手段】
【０００８】
本発明は、前記課題を解決するためになされたもので、請求項１に記載の発明は、被清掃体を回転するブラシで掻き上げて清掃する芝生清掃車に設けられるブラシ高さ調整装置であって、前記ブラシが設けられるブラシフレームと、このブラシフレームに互いに上下動可能に設けられる支持体とを備え、前記ブラシフレームまたは前記支持体のどちらか一方には孔が形成され、前記ブラシフレームまたは前記支持体の他方には複数の調整穴が形成されており、ある一つの調整穴と、この調整穴と高さの異なる他の調整穴とは、前記ある一つの調整穴の上端部を通る水平方向へ沿う直線とその調整穴の下端部を通る水平方向へ沿う直線とにより形成される帯状の領域に、前記他の調整穴の一部が重なるよう形成されており、前記孔と前記調整穴とを対応させた状態で、前記孔および前記調整穴にピンを差し込むことで、前記ブラシフレームに前記支持体が固定されることを特徴とする芝生清掃車のブラシ高さ調整装置である。
【０００９】
請求項１に記載の発明によれば、ブラシフレームに対して支持体を上下動させ、孔と、複数の調整穴の内、所望の調整穴とを対応させた状態で、孔および調整穴にピンを差し込むことで、ブラシフレームに対して支持体を固定することができる。それに加えて、ある一つの調整穴の上下幅を有する水平方向へ沿った帯状の領域に、他の調整穴の一部が重なるよう形成されるため、ブラシフレームに対する支持体の上下動の幅が、調整穴の上下幅よりも小さくできる。従って、工具を用いることなく容易にブラシの高さを微調整することができる。
【００１０】
請求項２に記載の発明は、前記複数の調整穴は、傾斜して配列されると共に、互いに隣接する調整穴同士が、一方の調整穴の前記領域に他方の調整穴の一部が重なるよう形成されており、互いに隣接する調整穴同士の高低差が同一とされることを特徴とする請求項１に記載の芝生清掃車のブラシ高さ調整装置である。
【００１１】
請求項２に記載の発明によれば、複数の調整穴が傾斜して形成されているため、複数の穴が縦一列に直線状に形成されているだけの場合と比較して、少量のスペースで微調整することができる。また、互いに隣接する調整穴同士の高低差が同一に形成されるため、孔と対応させる調整穴を順次選んで行くことで、ブラシフレームに対して支持体を上下させる幅を容易に把握することができ、微調整を容易に行うことができる。
【００１２】
請求項３に記載の発明は、前記孔は、複数形成されており、これらの孔の水平方向の間隔それぞれと、傾斜して配列された前記調整穴の水平方向の間隔それぞれとが同一とされることを特徴とする請求項２に記載の芝生清掃車のブラシ高さ調整装置である。
【００１３】
請求項３に記載の発明によれば、孔同士の水平方向の間隔と、調整穴同士の水平方向の間隔とが同一に形成されているため、ブラシフレームに対して支持体を上下方向へ移動させるだけで、孔と調整穴とを容易に対応させることができる。従って、ブラシの高さを微調整する操作を容易に行うことができる。
【００１４】
さらに、請求項４に記載の発明は、前記ブラシフレームは、前記ブラシを覆うブラシカバーと、このブラシカバーに着脱可能に設けられる保持部材とからなり、この保持部材または前記支持体のどちらか一方に前記孔が形成され、前記保持部材または前記支持体の他方に前記調整穴が形成され、前記保持部材に前記支持体が互いに上下動可能に設けられることを特徴とする請求項１〜３のいずれか１項に記載の芝生清掃車のブラシ高さ調整装置である。
【００１５】
請求項４に記載の発明によれば、ブラシフレームがブラシカバーと保持部材とからなるため、清掃車から従来のブラシ高さ調整装置を取り外し、ブラシを覆っているブラシカバーに保持部材を取り付けることができ、この保持部材に支持体を互いに上下動可能に取り付けることができる。このようにして、清掃車が元々備えているブラシカバーを活用して、本発明のブラシ高さ調整装置を適用することができる。
【発明の効果】
【００１６】
本発明の芝生清掃車のブラシ高さ調整装置によれば、従来とは異なる構成で、工具を用いることなく容易にブラシの高さを微調整することができる。
【図面の簡単な説明】
【００１７】
【図１】本発明のブラシ高さ調整装置の一実施例を備える清掃車の一例を示す概略側面図である。
【図２】清掃車の清掃動作を示す概略図である。
【図３】図１のブラシ高さ調整装置を上方から見た状態を示す図である。
【図４】図１のブラシ高さ調整装置を後方から見た状態を示す図である。
【図５】図１のブラシ高さ調整装置の斜視図である。
【図６】図１のブラシ高さ調整装置の分解斜視図であり、一部を省略して示している。
【図７】図１のブラシ高さ調整装置を示す図であり、高さを調整している状態を示している。
【発明を実施するための形態】
【００１８】
以下、本発明の具体的実施例を図面に基づいて詳細に説明する。
図１は、本発明のブラシ高さ調整装置の一実施例を備える清掃車の一例を示す概略側面図である。また、図２は、清掃車の清掃動作を示す概略図である。本実施例の清掃車は、ゴルフ場などにおいて、被清掃体であるフェアウェイやラフを清掃するものである。この清掃車のブラシ高さ調整装置１に、本発明が適用されている。
【００１９】
本実施例の清掃車２は、運転者が運転席３に座ってハンドル４を握り、フェアウェイやラフといった芝生面を走行して清掃を行うものである。以下の説明においては、図１に示すように、清掃車２の前側が前方とされ、後側が後方とされる。つまり、図１の紙面における左右方向が前後方向とされ、図１の紙面における垂直方向が左右方向とされる。
【００２０】
清掃車２の下部には、図１、図２および図４に示すように、ブラシ５が回転可能に設けられる。ブラシ５は、左右方向へ沿う円柱状の回転体６の周方向等間隔四箇所に、ブラシ毛７が外方へ延出して形成されて構成される。このブラシ５は、下方へ開口した左右方向へ細長い略長方形の中空ボックス状のブラシカバー８内に、左右方向へ沿って設けられる。本実施例のブラシカバー８は、金属製とされる。
【００２１】
ブラシカバー８の上部には、金属製の風胴９が設けられる。風胴９は、ブラシカバー８内と連通しており、内部には送風手段１０が設けられる。送風手段１０は、左右方向へ沿う円柱状の回転体１１の周方向等間隔四箇所に、板材１２が外方へ延出して形成されて構成され、風胴９内に左右方向へ沿って設けられる。風胴９は、清掃車２の後部に設けられた中空状のホッパー１３と連通しており、これによりブラシカバー８は、風胴９を介して、ホッパー１３と連通される。
【００２２】
図２に示されるように、油圧モーターにより時計回りにブラシ５を回転させることで、芝刈り機で刈り取られた余分な芝や埃などを掻き上げることができる。ブラシ５によりすくい上げられた芝や埃などは、風胴９内へ送り込まれ、油圧モーターにより時計回りに送風手段１０を回転させることで、ホッパー１３内に送り込まれて収容することができる。
【００２３】
図３から図７は、ブラシ高さ調整装置を示す図であり、図３は上方から見た状態を示しており、図４は後方から見た状態を示しており、図５は斜視図、図６は一部を省略した分解斜視図、また、図７はブラシの高さを調整している状態を示している。本実施例のブラシ高さ調整装置１は、前述したブラシカバー８と、ブラシカバー８に着脱可能に設けられる保持部材１４とからなるブラシフレーム１５と、このブラシフレーム１５に上下動可能に設けられる支持体１６とを備える。
【００２４】
ブラシカバー８は、下方へ開口した中空ボックス状とされ、その左側壁１７には、前後方向へ離隔して金属製の板片１８，１８が設けられる。各板片１８は、左右方向へ細長い長方形の板状とされ、ブラシカバー８の左側壁１７から左方向へ延出して設けられる。この際、板片１８，１８同士は、互いに板面が向かい合っている。本実施例では、各板片１８は、その右面が溶接によってブラシカバー８に固定される。各板片１８の左端部には、上下方向へ離間して円形状の取付穴１９，１９が形成されており、各取付穴１９は、板片１８を貫通して形成される。
【００２５】
また、ブラシカバー８の左側壁１７には、前後方向へ離隔して金属製のブロック片２０，２０が設けられる。各ブロック片２０は、横断面が略正方形の角柱状とされ、ブラシカバー８の左側壁１７から左方向へ突出して設けられる。本実施例では、各ブロック片２０は、その右面がブラシカバー８の左側壁１７に溶接される。各ブロック片２０には、上下方向へ貫通して円形状の取付穴２１が形成される。また、前側のブロック片２０と前側の板片１８、および後側のブロック片２０と後側の板片１８とは、互いに溶接により固定される。具体的には、前側のブロック片２０の後面と前側の板片１８の前面が溶接される一方、後側のブロック片２０の前面と後側の板片１８の後面とが溶接される。この際、ブロック片２０の上面と板片１８の上面とは面一とされる。
【００２６】
保持部材１４は、板状の金属製の取付片２２を有する。取付片２２は、上方から見た場合において右方向へ開口した略コ字形状とされ、その開放両端部には、上下方向へ貫通して円形状の固定穴２３，２３が形成される。また、取付片２２の開放両端部には、後述する固定片２４，２４の係合穴２５，２５が形成される。各係合穴２５は、左右方向へ細長い略長方形状とされ、上下方向へ貫通して形成される。
【００２７】
固定片２４は、金属製とされ、上下方向へ細長い略長方形の板状に形成される。固定片２４の上端部は、それより下部よりも左右幅の小さい幅狭部２６に形成されている。固定片２４には、上下方向へ離隔して固定穴２７，２７が形成される。各固定穴２７は、円形状とされ、前後方向へ貫通して形成される。このように形成された固定片２４は、その幅狭部２６が下方から係合穴２５に貫通するよう差し込まれた状態で、取付片２２に溶接される。取付状態では、固定片２４，２４同士は、互いに板面が向かい合っている。これら二つの固定片２４，２４を架け渡すようにして、補強片２８が設けられる。補強片２８は、前後方向へ細長い略長方形の板状に形成される。本実施例では、補強片２８は、各固定片２４の上部左端部に溶接される。
【００２８】
取付片２２には、短筒状の金属製の案内筒２９が上方へ延出して形成される。本実施例では、案内筒２９は、前後方向へ離隔して前板３０と後板３１とが取付片２２の上面に立設されると共に、左右方向へ離隔して左板３２と右板３３とが取付片２２の上面に立設されて構成される。これにより、前後両板３０，３１および左右両板３２，３３で取り囲まれた空間を内穴３４とする筒状に形成される。
【００２９】
前後両板３０，３１は、正面視において略逆Ｔ字形の板状に形成され、互いに板面が向かい合うように配置される。前板３０の下端部における左右への両突出部分は、その他の部分よりも前方へ凹んで薄肉状に形成されている一方、後板３１の下端部における左右への両突出部分は、その他の部分よりも後方へ凹んで薄肉状に形成されている。また、左右両板３２，３３は、前後方向へ細長い略長方形状の板材とされ、互いに板面が向かい合うように配置される。左右両板３２，３３には、左右方向へ貫通して孔３５が等間隔四箇所に形成される。これらの孔３５は、円形状とされ、直径が同一に形成される。左板３２の各孔３５と右板３３の各孔３５とは、取付片２２に左右両板３２，３３が配置された状態において、互いに対応するように左右両板３２，３３に形成される。
【００３０】
前板３０、後板３１、左板３２および右板３３は、筒状となるように取付片２２に設けられる。本実施例では、前板３０と後板３１とは、前後方向へ離隔した状態で、下面が取付片２２に溶接される。一方、左板３２と右板３３とは、左右方向へ離隔した状態で、取付片２２に溶接される。また、前後両板３０，３１と左板３２とは、前板３０の左側突出部分の後面と左板３２の前面とが当接されると共に、後板３１の左側突出部分の前面と左板３２の後面とが当接された状態において、互いに溶接される。一方、前後両板３０，３１と右板３３とは、前板３０の右側突出部分の後面と右板３３の前面とが当接されると共に、後板３１の右側突出部分の前面と右板３３の後面とが当接された状態において、互いに溶接される。このように、案内筒２９は、前板３０、後板３１、左板３２および右板３３によって、短角筒状に形成される。取付状態では、左板３２に形成された各孔３５と右板３３に形成された各孔３５は、互いに対応している。
【００３１】
また、取付片２２には、短筒状の金属製の案内筒３６が下方へ延出して形成される。この下方へ延出した案内筒３６は、基本的には、上方へ延出した案内筒２９と同様の構成とされ、対応する箇所には同一の符号を付して説明する。案内筒３６は、前板３０、後板３１、左板３２および右板３３からなり、それらが下方へ延出した短角筒状となるように、取付片２２に溶接される。このようにして、前後両板３０，３１および左右両板３２，３３で取り囲まれた空間を内穴３７とする筒状に形成される。また、案内筒３６の前後両板３０，３１には、孔３５が形成されない。
【００３２】
上方へ延出した案内筒２９と下方へ延出した案内筒３６とは、内穴３４，３７同士が互いに対応するように取付片２２に配置される。取付片２２には、上下方向へ貫通して案内穴３８が形成され、この案内穴３８は前後方向へ細長い略長方形状とされる。取付片２２に形成された案内穴３８を介して、案内筒２９の内穴３４と案内筒３６の内穴３７とが連通される。すなわち、保持部材１４には、案内筒２９の上部開口と案内筒３６の下部開口とが案内穴３８を介して連通され、連続する一続きの縦穴３９が形成される。
【００３３】
以上のような構成の保持部材１４は、取付片２２の前端部が前側のブロック片２０および板片１８の上面に載せ置かれると共に、取付片２２の後端部が後側のブロック片２０および板片１８の上面に載せ置かれた状態で、座金４０および取付片２２の開放両端部に形成された固定穴２３を介して、各ブロック片２０に形成された取付穴２１に固定ボルト４１を貫通させ、その貫通部分に固定ナット４２を締め付けることで、ブラシカバー８に固定される。それに加えて、前側の固定片２４の後面と前側の板片１８の前面とが重ね合わされると共に、後側の固定片２４の前面と後側の板片１８の後面とが重ね合わされた状態で、座金４３および各固定片２４の固定穴２７を介して、各板片１８の取付穴１９に固定ボルト４４を貫通させ、その貫通部分に固定ナット４５を締め付けることで、保持部材１４がブラシカバー８に固定される。
【００３４】
保持部材１４には、互いに上下動可能に支持体１６が設けられる。本実施例では、支持体１６は、金属製の板材が屈曲形成されたフレーム４６と、フレーム４６に設けられる車輪４７と、フレーム４６に設けられる板状の金属製の調整板４８とを備える。フレーム４６は、略水平に配置される板状の中央片４９の左右両端部に、板状の支持片５０が垂直下方へ延出して形成されると共に、中央片４９の前後両端部に、板状の折曲片５１が垂直下方へ延出して形成される。フレーム４６の左右の支持片５０，５０間には、車軸５２が架け渡され、この車軸５２に車輪４７が回転自在に保持される。
【００３５】
調整板４８は、上下方向へ細長い略長方形状とされ、板面が前後方向へ沿うようにして配置される。調整板４８には、左右方向へ貫通して円形状の調整穴５３が複数形成される。これらの調整穴５３は、直径が同一とされ、前述した孔３５とも直径が同一に形成される。図示例では、調整板４８には、上から数えて一番目の調整穴５３ａ、二番目の調整穴５３ｂ、三番目の調整穴５３ｃおよび四番目の調整穴５３ｄが、前側から後側へ行くに従って下方へ傾斜するように配列されて形成されており、これら四つの調整穴５３ａ，５３ｂ，５３ｃ，５３ｄを一列とすると、合計四列形成される。なお、各列において、四つの調整穴５３，５３，５３，５３は、水平方向等間隔に形成されており、その間隔Ａと隣接する孔３５，３５同士の水平方向の間隔Ｂとは同一とされる。
【００３６】
各列の調整穴５３において、隣接する調整穴５３，５３同士は、上側に配置される調整穴５３の上端部を通る水平方向へ沿う直線５４と、その調整穴５３の下端部を通る水平方向へ沿う直線５５とによって形成される帯状の領域５６に、下側に配置される調整穴５３の一部が重なるように配置される。ここでは、一番上の列において、上から数えて一番目の調整穴５３ａと二番目の調整穴５３ｂとを比較して説明するが、各列において隣接する調整穴５３，５３同士は、同様に形成される。
【００３７】
上から数えて一番目の調整穴５３ａの上端部を通る水平方向（図示例では前後方向）へ沿う直線５４ａと、この調整穴５３ａの下端部を通る水平方向へ沿う直線５５ａとによって、水平方向へ沿って延出して帯状の領域５６ａが形成される。この領域５６ａは、上から数えて一番目の調整穴５３ａの上下幅Ｘ、つまり直径を有し、一番目の調整穴５３ａを覆いつつ水平方向へ延出して形成される。一方、上から数えて二番目の調整穴５３ｂは、前述した領域５６ａ内に、ほぼ上半分が重なるように配置される。このように、上から数えて二番目の調整穴５３ｂは、一番目の調整穴５３ａよりも、その調整穴５３ａの略半径長さだけ下方へ配置される。従って、各列において、互いに隣接する調整穴５３，５３同士の高低差Ｙは、調整穴５３の略半径長さとされている。本実施例では、調整板４８は、その下面がフレーム４６の中央片４９の略中央部に、板面が前後方向へ沿うようにして溶接される。なお、調整板４８の上端部には、左右方向へ貫通して円形状の抜止穴５７が形成される。
【００３８】
以上のような構成の支持体１６は、調整板４８が下方へ延出した案内筒３６の下部開口から差し込まれる。そして、調整板４８に形成された一番左下の調整穴５３ｅと、案内筒２９の左右両板３２，３３に形成された一番左側の孔３５ａとを対応させた状態で、左板３２の孔３５ａ、調整穴５３ｅおよび右板３３の孔３５ａを貫通するようにピン５８を差し込むことで、保持部材１４に固定される。本実施例では、ピン５８は、軸部５９にアイボルト６０がねじ込まれて構成される。軸部５９の先端部には、前後方向へ貫通してピン抜止穴６１が形成される。このようにピン５８が差し込まれた状態において、ピン抜止穴６１にスナップピン６２が差し込まれる。これにより、スナップピン６２が右板３３と接触することで、ピン５８が左方向へ抜けるのを防止することができる。なお、ピン５８が右方向へ抜けるのは、アイボルト６０が左板３２に接触することで防止できる。
【００３９】
支持体１６は、調整板４８が、下方へ延出した案内筒３６の下部開口から、取付片２２の案内穴３８を介して、上方へ延出した案内筒２９の上部開口を貫通するようにして設けられる。すなわち、支持体１６は、調整板４８が保持部材１４に形成された一続きの縦穴３９を上下に貫通して設けられる。この際、調整板４８に形成された抜止穴５７に、左方向から抜止めボルト６３を貫通させ、その貫通部分に抜止めナット６４が締め付けられる。これにより、抜止めボルト６３および抜止めナット６４が案内筒２９に接触することで、保持部材１４に形成された縦穴３９から、支持体１６が下方へ抜け落ちるのを防止することができる。
【００４０】
次に、本実施例のブラシ高さ調整装置１を用いて、ブラシ５の高さを調整する場合について説明する。まず、ピン５８の先端部に形成されたピン抜止穴６１からスナップピン６２を抜き取り、左右両板３２，３３に形成された孔３５および調整板４８に形成された調整穴５３からピン５８を抜き取る。これにより、図７に示されるように、支持体１６は、保持部材１４に対して上下動させることができる。そして、所望の調整穴５３と、左右両板３２，３３に形成された所望の孔３５とを対応させた状態で、左板３２の孔３５、調整穴５３および右板３３の孔３５を貫通するようにピン５８を差し込み、そのピン５８にスナップピン６２を差し込むことで、保持部材１４に対して支持体１６を固定することができる。これにより、ブラシ５を上下に移動させることができる。
【００４１】
たとえば、一番左下の調整穴５３ｅと一番左側の孔３５ａとを貫通するようにピン５８が差し込まれた状態から、一番左下の調整穴５３ｅに隣接する調整穴５３ｆと、左から二番目の孔３５ｂとを貫通するようにピン５８を差し替えることで、保持部材１４に対して支持体１６を調整穴５３ｅの略半径長さだけ上方へ移動させることができる。これにより、ブラシ５を下方へ移動させることができる。
【００４２】
本実施例では、清掃車２の左側に設けられるブラシ高さ調整装置１について説明したが、右側にもブラシ高さ調整装置が設けられる。右側に設けられるブラシ高さ調整装置は、左側のブラシ高さ調整装置１と同様の構成のため、説明は省略する。
【００４３】
本実施例のブラシ高さ調整装置１の場合、各列において、ピン５８が差し込まれた調整穴５３から一つ下側に配置される調整穴５３にピン５８を差し替えることで、保持部材１４に対して支持体１６を上方へ移動させることができる。これにより、ブラシ５を下方へ移動させることができる。また、各列において、ピン５８が差し込まれた調整穴５３から一つ上側に配置される調整穴５３にピン５８を差し替えることで、保持部材１４に対して支持体１６を下方へ移動させることができる。これにより、ブラシ５を上方へ移動させることができる。従って、本実施例によれば、工具を用いることなく容易に、ブラシ５を上下に移動させて所望の調整穴５３の位置で固定することができる。
【００４４】
また、各列において、互いに隣接する調整穴５３，５３同士は、上側の調整穴５３の上下幅Ｘを有し、その調整穴５３を覆いつつ前後方向へ延出して形成される帯状の領域５６内に、下側の調整穴５３の略上側半分が重なるように形成されているため、保持部材１４に対して支持体１６を調整穴５３の略半径長さだけ上下に移動させることができる。従って、本実施例によれば、保持部材１４に対して支持体１６を上下に移動させる際、調整穴５３の上下幅Ｘよりも小さい幅で移動させることができ、ブラシ５の微調整を容易に行うことができる。
【００４５】
本実施例のブラシ高さ調整装置１の場合、各列のように、複数の調整穴５３が傾斜して配列されている。従って、複数の調整穴５３が垂直方向へ直線状に配置されているだけで、前述した帯状の領域５６内に重なるように調整穴５３が形成されていない場合と比較して、少量のスペースで微調整を容易に行うことができる。また、本実施例の場合、各列において、互いに隣接する調整穴５３，５３同士の高低差Ｙが、略半径長さとされている。このように、本実施例によれば、各列における互いに隣接する調整穴５３，５３同士の高低差Ｙが同一に形成されているため、ブラシカバー８に対する支持体１６の上下への移動長さを容易に把握することができ、ブラシ５の微調整を容易に行うことができる。
【００４６】
ところで、本実施例では、ブラシカバー８や、それに固定された板片１８およびブロック片２０は、清掃車２に備えられている既存のものとされる。この板片１８およびブロック片２０に、従来のブラシ高さ調整装置が取り付けられていた。本実施例のブラシ高さ調整装置１の場合、ブラシフレーム１５が既存のブラシカバー８と保持部材１４とからなり、別体から構成されている。従って、本実施例によれば、既存のブラシカバー８を利用することができ、汎用性が高いものとされる。
【００４７】
本発明のブラシ高さ調整装置は、前記実施例の構成に限らず、適宜変更可能である。たとえば、前記実施例では、調整板４８に形成された調整穴５３の数は、各列において四つとされたが、これに限定されるものではなく、適宜変更可能である。また、前記実施例では、調整板４８に形成された調整穴５３の列が四列とされたが、これに限定されるものではなく、適宜変更可能である。この際、左右両板３２，３３に形成される孔３５の数も、調整穴５３の数に対応して、適宜変更可能である。
【００４８】
また、保持部材１４や支持体１６の構成は、前記実施例の構成に限らず、適宜変更可能である。たとえば、前記実施例では、支持体１６は、保持部材１４に形成された縦穴３９に差し込む構成であったため、前後方向についての動きは考慮する必要がなかったが、次に考慮が必要な場合について説明する。この場合、隣接する調整穴５３，５３同士の水平方向の間隔Ａと隣接する孔３５，３５同士の水平方向の間隔Ｂとが、同一に形成される。従って、保持部材１４に対して支持体１６を上下に移動させる際、支持体１６を垂直方向へ移動させるだけで、調整穴５３と孔３５とを対応させることができる。すなわち、調整穴５３と孔３５とを対応させる際に、前後方向の調整を行う必要がなく、微調整の操作を容易に行うことができる。
【００４９】
また、前記実施例では、ブラシフレーム１５は、別体から構成されたが、一体的に構成されていてもよい。さらに、前記実施例では、保持部材１４に孔３５が形成され、支持体１６に調整穴５３が形成されたが、保持部材１４に調整穴５３が形成され、支持体１６に孔３５を形成してもよい。
【符号の説明】
【００５０】
１  ブラシ高さ調整装置
２  清掃車
５  ブラシ
８  ブラシカバー
１４  保持部材
１５  ブラシフレーム
１６  支持体
３５  孔
５３  調整穴
５４  直線
５５  直線
５６  領域
５８  ピン
Ａ  互いに隣接する調整穴同士の水平方向の間隔
Ｂ  互いに隣接する孔同士の水平方向の間隔
Ｘ  上下幅（調整穴の直径）
Ｙ  高低差（調整穴の略半径）
【図１】
2015151832.tif 000003
【図２】
2015151832.tif 000004
【図３】
2015151832.tif 000005
【図４】
2015151832.tif 000006
【図５】
2015151832.tif 000007
【図６】
2015151832.tif 000008
【図７】
2015151832.tif 000009
【手続補正書】
【提出日】平成27年3月25日(2015.3.25)
【手続補正１】
【補正対象書類名】特許請求の範囲
【補正対象項目名】全文
【補正方法】変更
【補正の内容】
【特許請求の範囲】
【請求項１】
被清掃体を回転するブラシで掻き上げて清掃する芝生清掃車に設けられるブラシ高さ調整装置であって、
前記ブラシが設けられるブラシフレームと、このブラシフレームに互いに上下動可能に設けられる支持体とを備え、
前記ブラシフレームまたは前記支持体のどちらか一方には孔が形成され、
前記ブラシフレームまたは前記支持体の他方には複数の調整穴が形成されており、ある一つの調整穴と、この調整穴と高さの異なる他の調整穴とは、前記ある一つの調整穴の上端部を通る水平方向へ沿う直線とその調整穴の下端部を通る水平方向へ沿う直線とにより形成される帯状の領域に、前記他の調整穴の一部が重なるよう形成されており、
前記孔と前記調整穴とを対応させた状態で、前記孔および前記調整穴にピンを差し込むことで、前記ブラシフレームに前記支持体が固定され、
前記ブラシフレームは、前記ブラシを覆うブラシカバーと、このブラシカバーに着脱可能に設けられる保持部材とからなり、
この保持部材または前記支持体のどちらか一方に前記孔が形成され、前記保持部材または前記支持体の他方に前記調整穴が形成され、
前記保持部材に前記支持体が互いに上下動可能に設けられる
ことを特徴とする芝生清掃車のブラシ高さ調整装置。
【請求項２】
前記複数の調整穴は、傾斜して配列されると共に、互いに隣接する調整穴同士が、一方の調整穴の前記領域に他方の調整穴の一部が重なるよう形成されており、
互いに隣接する調整穴同士の高低差が同一とされる
ことを特徴とする請求項１に記載の芝生清掃車のブラシ高さ調整装置。
【請求項３】
前記孔は、複数形成されており、
これらの孔の水平方向の間隔それぞれと、傾斜して配列された前記調整穴の水平方向の間隔それぞれとが同一とされる
ことを特徴とする請求項２に記載の芝生清掃車のブラシ高さ調整装置。
【手続補正２】
【補正対象書類名】明細書
【補正対象項目名】０００８
【補正方法】変更
【補正の内容】
【０００８】
本発明は、前記課題を解決するためになされたもので、請求項１に記載の発明は、被清掃体を回転するブラシで掻き上げて清掃する芝生清掃車に設けられるブラシ高さ調整装置であって、前記ブラシが設けられるブラシフレームと、このブラシフレームに互いに上下動可能に設けられる支持体とを備え、前記ブラシフレームまたは前記支持体のどちらか一方には孔が形成され、前記ブラシフレームまたは前記支持体の他方には複数の調整穴が形成されており、ある一つの調整穴と、この調整穴と高さの異なる他の調整穴とは、前記ある一つの調整穴の上端部を通る水平方向へ沿う直線とその調整穴の下端部を通る水平方向へ沿う直線とにより形成される帯状の領域に、前記他の調整穴の一部が重なるよう形成されており、前記孔と前記調整穴とを対応させた状態で、前記孔および前記調整穴にピンを差し込むことで、前記ブラシフレームに前記支持体が固定され、前記ブラシフレームは、前記ブラシを覆うブラシカバーと、このブラシカバーに着脱可能に設けられる保持部材とからなり、この保持部材または前記支持体のどちらか一方に前記孔が形成され、前記保持部材または前記支持体の他方に前記調整穴が形成され、前記保持部材に前記支持体が互いに上下動可能に設けられることを特徴とする芝生清掃車のブラシ高さ調整装置である。
【手続補正３】
【補正対象書類名】明細書
【補正対象項目名】０００９
【補正方法】変更
【補正の内容】
【０００９】
請求項１に記載の発明によれば、ブラシフレームに対して支持体を上下動させ、孔と、複数の調整穴の内、所望の調整穴とを対応させた状態で、孔および調整穴にピンを差し込むことで、ブラシフレームに対して支持体を固定することができる。それに加えて、ある一つの調整穴の上下幅を有する水平方向へ沿った帯状の領域に、他の調整穴の一部が重なるよう形成されるため、ブラシフレームに対する支持体の上下動の幅が、調整穴の上下幅よりも小さくできる。従って、工具を用いることなく容易にブラシの高さを微調整することができる。また、請求項１に記載の発明によれば、ブラシフレームがブラシカバーと保持部材とからなるため、清掃車から従来のブラシ高さ調整装置を取り外し、ブラシを覆っているブラシカバーに保持部材を取り付けることができ、この保持部材に支持体を互いに上下動可能に取り付けることができる。このようにして、清掃車が元々備えているブラシカバーを活用して、本発明のブラシ高さ調整装置を適用することができる。
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】